(57)【要約】【課題】ユーザの施術忘れを抑制できるパーソナルケアシステム等を提供する。【解決手段】パーソナルケアシステム３００は、ユーザへの施術を行う施術部１５０、施術部１５０が施術を行ったユーザへの当該施術に関する施術情報を取得する取得部１３０、及び、取得した施術情報を送信する第１通信部１４０を有するパーソナルケア機器１００と、パーソナルケア機器１００から施術情報を受信する第２通信部２１０、及び、施術情報に基づくユーザへの報知を行う報知部２２０を有する端末装置２００と、を備える。【選択図】図３
2020162789.tif 000002
【特許請求の範囲】
【請求項１】
ユーザへの施術を行う施術部、前記施術部が施術を行ったユーザへの当該施術に関する施術情報を取得する取得部、及び、取得した前記施術情報を送信する第１通信部を有するパーソナルケア機器と、
前記パーソナルケア機器から前記施術情報を受信する第２通信部、及び、前記施術情報に基づく前記ユーザへの報知を行う報知部を有する端末装置と、を備える
パーソナルケアシステム。
【請求項２】
前記施術情報は、前記施術部が前記ユーザに施術を行った日時を示す日時情報を含み、
前記報知部は、前記日時情報に基づくタイミングに、前記ユーザが前記パーソナルケア機器を用いて施術を行うことを促す報知を行う
請求項１に記載のパーソナルケアシステム。
【請求項３】
前記端末装置は、スマートフォン、タブレット端末、パーソナルコンピュータ、シェーバ、及び、電子鏡のいずれかである
請求項２に記載のパーソナルケアシステム。
【請求項４】
前記施術情報は、前記施術部が前記ユーザに施術を行った施術部位を示す部位情報を含み、
前記報知部は、前記部位情報に基づいて、前記ユーザが前記パーソナルケア機器を用いて施術を行った施術部位の報知を行う
請求項１に記載のパーソナルケアシステム。
【請求項５】
前記パーソナルケア機器は、さらに、前記ユーザを撮像することで画像を生成する撮像部を有し、
前記報知部は、前記画像を表示するディスプレイであり、
前記第１通信部は、前記撮像部によって生成された前記画像を前記部位情報として前記端末装置に送信し、
前記報知部は、前記撮像部によって生成された前記画像を表示することで、前記ユーザが前記パーソナルケア機器を用いて施術を行った施術部位の報知を行う
請求項４に記載のパーソナルケアシステム。
【請求項６】
前記パーソナルケア機器は、さらに、前記施術部位にマーカを付与するマーカ部を有し、
前記撮像部は、前記マーカを含む前記ユーザを撮像することで前記画像を生成する
請求項５に記載のパーソナルケアシステム。
【請求項７】
前記マーカ部は、前記施術部の周囲に設けられ、前記施術部が施術を行う際に前記ユーザに当接される突起部である
請求項６に記載のパーソナルケアシステム。
【請求項８】
前記端末装置は、スマートフォン、タブレット端末、パーソナルコンピュータ、及び、電子鏡のいずれかである
請求項４〜７のいずれか１項に記載のパーソナルケアシステム。
【請求項９】
前記施術部は、発光部を有し、前記発光部が発した光を前記ユーザに照射することで、前記ユーザへの施術を行う
請求項１〜８のいずれか１項に記載のパーソナルケアシステム。
【請求項１０】
ユーザへの施術を行う施術部と、
前記施術部が施術を行ったユーザへの当該施術に関する施術情報を取得する取得部と、
前記取得部が取得した前記施術情報を端末装置へ送信する通信部と、を備える
パーソナルケア機器。
【発明の詳細な説明】
【技術分野】
【０００１】
本発明は、例えば、抑毛装置等のパーソナルケア機器を備えるパーソナルケアシステム及び当該パーソナルケア機器に関する。
【背景技術】
【０００２】
従来、光照射型美容装置等のパーソナルケア機器としては、体毛に対して光を照射することで抑毛効果を得る抑毛装置が知られている（例えば、特許文献１参照）。
【先行技術文献】
【特許文献】
【０００３】
【特許文献１】国際公開第２０１５／０９８４２７号
【発明の概要】
【発明が解決しようとする課題】
【０００４】
従来のパーソナルケア機器では、ユーザがパーソナルケア機器を用いて施術した日時、施術した箇所等を把握する手段がないため、施術した日時、施術した箇所等をユーザが忘れてしまう問題がある。
【０００５】
本発明は、ユーザの施術忘れを抑制できるパーソナルケアシステム等を提供する。
【課題を解決するための手段】
【０００６】
本発明の一態様に係るパーソナルケアシステムは、ユーザへの施術を行う施術部、前記施術部が施術を行ったユーザへの当該施術に関する施術情報を取得する取得部、及び、取得した前記施術情報を送信する第１通信部を有するパーソナルケア機器と、前記パーソナルケア機器から前記施術情報を受信する第２通信部、及び、前記施術情報に基づく前記ユーザへの報知を行う報知部を有する端末装置と、を備える。
【０００７】
また、本発明の一態様に係るパーソナルケア機器は、ユーザへの施術を行う施術部と、前記施術部が施術を行ったユーザへの当該施術に関する施術情報を取得する取得部と、前記取得部が取得した前記施術情報を端末装置へ送信する通信部と、を備える。
【０００８】
なお、本発明は、上記パーソナル機器が実行するケア方法として実現されてもよい。また、本発明は、当該ケア方法に含まれるステップをコンピュータに実行させるプログラムとして実現されてもよい。また、本発明は、そのプログラムを記録したコンピュータによって読み取り可能なＣＤ−ＲＯＭ等の非一時的な記録媒体として実現されてもよい。また、本発明は、そのプログラムを示す情報、データ又は信号として実現されてもよい。そして、それらプログラム、情報、データ及び信号は、インターネット等の通信ネットワークを介して配信されてもよい。
【発明の効果】
【０００９】
本発明の一態様に係るパーソナルケアシステム等によれば、ユーザの施術忘れを抑制できる。
【図面の簡単な説明】
【００１０】
【図１】図１は、実施の形態１に係る抑毛装置の概略構成を示す平面図である。
【図２】図２は、実施の形態１に係るパーソナルケアシステムの概略構成を示す図である。
【図３】図３は、実施の形態１に係るパーソナルケアシステムの特徴的な機能構成を示すブロック図である。
【図４】図４は、実施の形態１に係るパーソナルケア機器の動作手順を示すフローチャートである。
【図５】図５は、実施の形態１に係る端末装置の動作手順を示すフローチャートである。
【図６】図６は、実施の形態１に係るパーソナルケアシステムの動作手順を示すシーケンス図である。
【図７】図７は、実施の形態２に係るパーソナルケアシステムの概略構成を示す図である。
【図８】図８は、実施の形態２に係るパーソナルケアシステムの特徴的な機能構成を示すブロック図である。
【図９】図９は、実施の形態２に係るパーソナルケア機器の動作手順を示すフローチャートである。
【図１０】図１０は、実施の形態２に係る端末装置の動作手順を示すフローチャートである。
【図１１】図１１は、実施の形態２に係るパーソナルケアシステムの動作手順を示すシーケンス図である。
【図１２】図１２は、変形例１に係る抑毛装置の概略構成を示す部分断面図である。
【図１３】図１３は、変形例２に係る抑毛装置の概略構成を示す部分断面図である。
【図１４】図１４は、変形例３に係る抑毛装置の概略構成を示す部分断面図である。
【図１５】図１５は、変形例４に係る抑毛装置の概略構成を示す部分断面図である。
【図１６】図１６は、変形例５に係る抑毛装置の概略構成を示す部分断面図である。
【発明を実施するための形態】
【００１１】
以下では、本発明の実施の形態に係るパーソナルケアシステム等について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ及びステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成部材については同じ符号を付している。
【００１３】
（実施の形態１）
［構成］
＜概要＞
まず、実施の形態１に係るパーソナルケアシステムについて説明する。
【００１４】
なお、以下の各実施の形態では、パーソナルケアシステムが備えるパーソナルケア機器の一例として、抑毛装置について説明する。
【００１５】
図１は、実施の形態１に係る抑毛装置１０の概略構成を示す平面図である。図２は、実施の形態１に係る抑毛装置１０を備えるパーソナルケアシステム３００Ａの概略構成を示す図である。なお、図２に示す抑毛装置１０は、抑毛装置１０の内部構成を示す断面を模式的に示しており、電源ボタン４１、点灯部４３等の構成要素の一部の図示を省略して示している。
【００１６】
図１及び図２に示すように、抑毛装置１０は、外装体である長尺なハウジング２１を備えている。ハウジング２１の一端部には、ユーザの肌に対してフラッシュライトを照射するためのヘッド部３０が設けられている。また、ハウジング２１の一端部内には、ヘッド部３０を冷却するためのファン４５が設けられている。
【００１７】
なお、図示しないが、ハウジング２１の一端部には、ファン４５の吸気及び排気を確保するための通気孔が設けられていてもよい。
【００１８】
ハウジング２１におけるヘッド部３０とは反対側の部分は、ユーザにより把持される把持部４０であり、ヘッド部３０よりも細く形成されている。
【００１９】
把持部４０には、電源のＯＮ／ＯＦＦを切り替えるための電源ボタン４１と、フラッシュライトを発光させるための発光ボタン４２と、電源ＯＮ時に点灯し、ＯＦＦ時に消灯する点灯部４３とが設けられている。また、把持部４０の下端部には、商用電源がケーブルを介して接続される図示しない電源端子が設けられている。
【００２０】
また、ハウジング２１内には回路４４及び無線通信デバイス２０が収容されている。
【００２１】
回路４４は、ヘッド部３０に備わる照射部５０及び冷却部８０を駆動するための複数の回路部品が実装されているマイコン（プロセッサ）である。
【００２２】
無線通信デバイス２０は、実施の形態１に係る端末装置の一例であるスマートフォン２００Ａ、シェーバ２００Ｂ等と回路４４とが通信するための通信インターフェースである。
【００２３】
回路４４は、照射部５０も用いて施術を行ったユーザへの当該施術に関する施術情報を、無線通信デバイス２０を介してスマートフォン２００Ａ及びシェーバ２００Ｂへ送信する。
【００２４】
施術情報は、例えば、照射部５０がユーザに施術を行った日時を示す日時情報である。回路４４は、例えば、発光ボタン４２が押下された場合に、無線通信デバイス２０を介してスマートフォン２００Ａ及びシェーバ２００Ｂに信号を送信する。スマートフォン２００Ａ及びシェーバ２００Ｂは、当該信号を受信した場合に、所定の時間が経過した後で、ディスプレイによる表示、音による通知等で、ユーザに抑毛装置１０の利用を促す報知をする。
【００２５】
これにより、ユーザは、抑毛装置１０のようなユーザに定期的に利用される機器において、利用するべき日時を適切に把握して利用できるようになる。
【００２６】
なお、当該信号には、照射部５０がユーザに施術を行った日時を示す日時情報が含まれていればよく、時刻情報は、単に照射部５０が利用されたことを示す情報でもよいし、日時自体を含む情報でもよいし、スマートフォン２００Ａ、シェーバ２００Ｂ等がユーザに報知を行う日時を含む情報でもよい。また、日時情報には、日にち及び時刻が含まれていてもよいし、日にちが含まれていてもよい。
【００２７】
照射部５０は、ユーザ（具体的には、ユーザの肌）に対してフラッシュライト（以降、単に光と称する場合もある。）を照射する。具体的には、照射部５０は、ヘッド部３０に設けられた照射口１１０に向けてフラッシュライトを照射することで、照射口１１０に対向して位置するユーザに対して光を照射する。
【００２８】
照射口１１０は、照射部５０におけるフラッシュライトが発光する発光領域である。照射口１１０は、例えば、平面視（より具体的には、照射口１１０を光源５１から出射される側から照射口１１０を見た場合）において長尺な矩形状に形成されている。
【００２９】
ユーザは、例えば、抑毛装置１０を利用する場合に、照射口１１０の周囲に形成されたハウジング２１の一部である当接部９３にユーザの肌を接触させて、発光ボタン４２を押下することで、光源５１からフラッシュライトを発光させる。
【００３０】
照射部５０は、光源５１と、反射部５２と、フィルタ５３とを備える。
【００３１】
光源５１は、フラッシュ発光可能な光源である。例えば、光源５１は、キセノンランプである。また、光源５１は、例えば、平面視において照射口１１０中央付近に配置されている。
【００３２】
反射部５２は、光源５１が出射した光の一部を照射口１１０に向けて反射するリフレクタである。反射部５２は、照射口１１０側が開放された凹状空間を有しており、凹状空間内に光源５１が配置されている。反射部５２における凹状空間をなす凹曲面は、反射面となっている。
【００３３】
フィルタ５３は、反射部５２の凹状空間の開放部分を覆っており、光源５１から照射された光の波長を調整する光学フィルタである。フィルタ５３を透過した光は、抑毛効果を発揮することが可能な波長帯の光となる。抑毛効果を発揮することが可能な波長帯は、毛のメラニンに作用する５００ｎｍ以上１２００ｎｍ以下の波長帯であり、特に、８００ｎｍ以上８５０ｎｍ以下の波長帯が抑毛効果に寄与している。例えば、８００ｎｍ以上８５０ｎｍ以下の波長帯の光照射の積算エネルギーＥｇ（Ａ）と５００ｎｍ以上６００ｎｍ以下の波長帯の光照射の積算エネルギーＥｇ（Ｂ）との比率Ａ／Ｂは、Ａ／Ｂ≧１．２以上あるとより効果的に抑毛効果を得ることができる。
【００３４】
冷却部８０は、ユーザの肌を冷却する冷却機構である。冷却部８０は、例えば、ペルチェ素子等の冷却機能を有した熱電素子である。冷却部８０は、照射口１１０の周囲に配置されている。より具体的には、冷却部８０は、照射口１１０と把持部４０との間に配置されている。本実施の形態では、冷却部８０の外表面は、ハウジング２１における照射口１１０の周縁部とは、略面一となっておらず、照射口１１０に対して傾斜している。これにより、ユーザは、簡便な操作で光の照射と冷却とを切り替えることができる。
【００３５】
本実施の形態では、冷却部８０は、保冷部８１を有する。
【００３６】
保冷部８１は、冷却剤を保冷する貯蔵庫である。冷却剤としては、ジェル剤等が挙げられる。保冷部８１は、冷却剤を所定温度以下（例えば、１５℃以下）で保冷する。
【００３７】
スマートフォン２００Ａ及びシェーバ２００Ｂは、ユーザが利用し、抑毛装置１０と通信可能であり、且つ、ユーザへの報知機能を有する装置である。
【００３８】
抑毛装置１０等のパーソナルケア機器には、毎日利用しなくてもよい機器がある。このような機器においては、ユーザは、一度利用した後に、再度利用するべき日時を忘れてしまう問題がある。そこで、パーソナルケアシステム３００Ａにおいては、スマートフォン２００Ａ、シェーバ２００Ｂ等のユーザの利用頻度が抑毛装置１０よりも高いと考えられる機器を介して、抑毛装置１０を利用するべき日時をユーザに報知する。
【００３９】
＜機能構成＞
続いて、パーソナルケアシステム３００の機能構成について説明する。
【００４０】
図３は、実施の形態１に係るパーソナルケアシステム３００の特徴的な機能構成を示すブロック図である。
【００４１】
パーソナルケアシステム３００は、図２に示すパーソナルケアシステム３００Ａのように、抑毛装置１０等のユーザの利用頻度が低いと考えられるパーソナルケア機器１００の利用を、スマートフォン２００Ａ等のユーザの利用頻度が高いと考えられる端末装置２００を介して報知して促すシステムである。
【００４２】
パーソナルケアシステム３００は、パーソナルケア機器１００と、端末装置２００と、を備える。
【００４３】
パーソナルケア機器１００は、ユーザに施術する機器である。例えば、パーソナルケア機器１００は、ユーザの肌の状態や体毛などの身だしなみを整えるための機器である。本実施の形態では、パーソナルケア機器１００は、抑毛装置１０である。
【００４４】
なお、パーソナルケア機器１００は、ユーザに施術することができればよく、バリカン等の機器でもよい。また、パーソナルケア機器１００が施術する対象となるユーザは、人だけでなく、ペット等の動物でもよい。
【００４５】
パーソナルケア機器１００は、操作部１２０と、取得部１３０と、第１通信部１４０と、施術部１５０と、第１制御部１９５と、第１記憶部１９０と、を備える。
【００４６】
操作部１２０は、ユーザからの指示を取得するユーザインターフェースである。本実施の形態では、操作部１２０は、抑毛装置１０が備える電源ボタン４１及び発光ボタン４２で実現される。操作部１２０は、タッチパネル等で構成されていてもよい。
【００４７】
取得部１３０は、施術部１５０が施術を行ったユーザへの当該施術に関する施術情報を取得する処理部である。取得部１３０は、例えば、操作部１２０から、操作部１２０が操作されて施術部１５０を駆動させることを示す情報を施術情報として取得する。本実施の形態では、取得部１３０は、施術部１５０を駆動させた時期（日時）を示す日時情報を施術情報として取得する。
【００４８】
例えば、日時情報には、施術部１５０が駆動された日時が含まれる。なお、パーソナルケア機器１００は、現在の日時を算出するためのＲＴＣ（Ｒｅａｌ  Ｔｉｍｅ  Ｃｌｏｃｋ）等の図示しない計時部を備えてもよい。
【００４９】
取得部１３０は、例えば、回路４４と、第１記憶部１９０に記憶された制御プログラムとにより実現される。
【００５０】
第１制御部１９５は、パーソナルケア機器１００が備える各構成要素の動作を制御する処理部である。第１制御部１９５は、例えば、取得部１３０が操作部１２０から取得した情報に基づいて。施術部１５０の動作の制御をする。また、例えば、第１制御部１９５は、取得部１３０が取得した施術情報を、第１通信部１４０を介して端末装置２００へ送信する。
【００５１】
第１制御部１９５は、例えば、回路４４と第１記憶部１９０に記憶された制御プログラムとにより実現される。
【００５２】
第１通信部１４０は、取得部１３０が取得した施術情報を端末装置２００に送信するための通信インターフェースである。具体的には、第１制御部１９５は、第１通信部１４０を介して、取得部１３０が取得した施術情報を端末装置２００に送信する。第１通信部１４０は、端末装置２００が備える第２通信部２１０と通信可能に接続されている。
【００５３】
なお、第１通信部１４０は、第２通信部２１０と有線で通信可能に接続されていてもよいし、無線で通信可能に接続されていてもよい。本実施の形態では、第１通信部１４０は、第２通信部２１０と無線で通信可能に接続されている。第１通信部１４０は、例えば、抑毛装置１０が備える無線通信デバイス２０により実現される。
【００５４】
施術部１５０は、ユーザへの施術を行う施術機構である。施術部１５０は、例えば、照射部５０及び冷却部８０により実現される。本実施の形態では、施術部１５０は、発光部１６０を有する。
【００５５】
発光部１６０は、ユーザに施術する光（フラッシュライト）を照射する。例えば、施術部１５０は、発光部１６０が発した光をユーザに照射することで、ユーザへの施術を行う。
【００５６】
本実施の形態では、発光部１６０は、照射部５０により実現される。
【００５７】
第１記憶部１９０は、取得部１３０及び第１制御部１９５が実行する制御プログラム等を記憶する。第１記憶部１９０は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリである。
【００５８】
端末装置２００は、ユーザが操作する情報端末である。端末装置２００には、例えば、ユーザの利用頻度が高いと考えられる装置であって、パーソナルケア機器１００と通信可能な機器が採用される。端末装置２００は、例えば、スマートフォン、タブレット端末、パーソナルコンピュータ、シェーバ、及び、電子鏡のいずれかである。図１には、端末装置２００がスマートフォン２００Ａである場合と、端末装置２００がシェーバ２００Ｂである場合とを例示している。パーソナルケアシステム３００が備える端末装置２００の数は、１つでもよいし、複数でもよい。
【００５９】
端末装置２００は、第２通信部２１０と、報知部２２０と、第２制御部２３０と、第２記憶部２４０と、を備える。
【００６０】
第２通信部２１０は、パーソナルケア機器１００と通信するための通信インターフェースである。具体的には、パーソナルケア機器１００から施術情報を受信する。より具体的には、第２制御部２３０は、第２通信部２１０を介して、施術情報を取得する。第２通信部２１０は、第１通信部１４０と通信可能に接続されている。第２通信部２１０は、例えば、無線通信デバイスにより実現される。
【００６１】
報知部２２０は、施術情報に基づくユーザへの報知を行う報知装置である。具体的には、第２制御部２３０は、パーソナルケア機器１００から受信した施術情報に基づいて、ユーザに対して施術に関する情報を報知部２２０に報知させる。
【００６２】
報知部２２０は、例えば、画像を表示するディスプレイ、音を発するアンプ及びスピーカ等で実現される。なお、報知部２２０は、ユーザにパーソナルケア機器１００の利用を促す報知をすることができればよい。報知部２２０は、例えば、振動による報知をするための圧電素子、光源の点灯による報知をするための光源等でもよい。
【００６３】
本実施の形態では、施術情報は、施術部１５０がユーザに施術を行った日時を示す日時情報を含む。この場合、報知部２２０は、日時情報に基づくタイミングに、ユーザがパーソナルケア機器１００を用いて施術を行うことを促す報知を行う。
【００６４】
第２制御部２３０は、端末装置２００が備える第２通信部２１０、報知部２２０等の構成要素の動作を制御する処理部である。第２制御部２３０は、例えば、第２通信部２１０を介してパーソナルケア機器１００から受信した施術情報に基づいて、報知部２２０を制御することで報知部２２０に報知させる。第２制御部２３０は、例えば、パーソナルケア機器１００がユーザに施術を実行した時刻を時刻情報として受信したとする。この場合、第２制御部２３０は、当該時刻から所定の時間後に、ユーザに対して報知部２２０に報知させる。なお、当該所定の時間は、任意に定められてよい。当該所定の時間は、例えば、第２記憶部２４０に予め記憶されていればよい。
【００６５】
第２制御部２３０は、例えば、プロセッサと、第２記憶部２４０に記憶された当該プロセッサが実行する制御プログラムとから実現される。
【００６６】
第２記憶部２４０は、第２制御部２３０が実行する制御プログラムを記憶する。第２記憶部２４０は、例えば、ＲＯＭ、ＲＡＭ等のメモリである。
【００６７】
［処理手順］
続いて、パーソナルケアシステム３００が備える各構成要素の具体的な処理手順について説明する。
【００６８】
＜パーソナルケア機器＞
図４は、パーソナルケア機器１００の処理手順を説明するためのフローチャートである。
【００６９】
図４は、実施の形態１に係るパーソナルケア機器１００の動作手順を示すフローチャートである。
【００７０】
まず、操作部１２０は、ユーザから操作を受け付ける（ステップＳ１０１）。ステップＳ１０１では、例えば、第１制御部１９５は、電源ボタン４１で操作を受け付けた場合にパーソナルケア機器１００の電源をＯＮにする。また、ステップＳ１０１では、第１制御部１９５は、例えば、さらに、発光ボタン４２の操作（押下）を受け付けたとする。
【００７１】
次に、施術部１５０は、ユーザに施術する（ステップＳ１０２）。ステップＳ１０２では、具体的には、第１制御部１９５は、ステップＳ１０１で操作部１２０を介して取得部１３０が取得した施術内容を示す情報に基づいて光源５１を点灯させる等の制御を行う。
【００７２】
また、取得部１３０は、施術情報として日時情報を取得する（ステップＳ１０３）。例えば、ステップＳ１０３では、取得部１３０は、ステップＳ１０１で操作部１２０がユーザから受け付けた指示が施術部１５０を動作させる指示だった場合に、当該指示を受け付けた日時を示す日時情報を施術情報して取得する。当該日時は、図示しない計時部から取得してもよい。
【００７３】
次に、第１制御部１９５は、取得部１３０が取得した施術情報を、第１通信部１４０を介して端末装置２００に送信する（ステップＳ１０４）。
【００７４】
＜端末装置＞
図５は、実施の形態１に係る端末装置２００の動作手順を示すフローチャートである。
【００７５】
まず、第２通信部２１０は、パーソナルケア機器１００から施術情報を受信する（ステップＳ２０１）。ステップＳ２０１は、例えば、図４に示すステップＳ１０４の後に実行される。
【００７６】
次に、報知部２２０は、受信した施術情報に基づいて、予め定められた所定の時間後（第１時間経過後）に、ユーザへの報知を行う（ステップＳ２０２）。ステップＳ２０２では、具体的には、第２制御部２３０は、第２通信部２１０を介してパーソナルケア機器１００から受信した施術情報である日時情報が示す時刻から第１時間経過後に、ユーザに対してパーソナルケア機器１００の利用を促すように報知部２２０に報知させる。
【００７７】
次に、第２制御部２３０は、ステップＳ２０２で報知部２２０に報知させてから所定の時間内（第２時間内）に、施術情報を再度受信したか否かを判定する（ステップＳ２０３）。
【００７８】
第２制御部２３０は、第２時間内に施術情報を再度受信した場合（ステップＳ２０３でＹｅｓ）、ステップＳ２０２に処理を戻す。このように、ステップＳ２０２及びステップＳ２０３を繰り返すことにより、端末装置２００は、ユーザに対してパーソナルケア機器１００の利用を定期的に促し続ける。
【００７９】
一方、第２制御部２３０は、第２時間内に施術情報を再度受信しない場合（ステップＳ２０３でＮｏ）、ユーザに対してパーソナルケア機器１００の利用を促すように報知部２２０に再度報知させる（ステップＳ２０４）。これにより、端末装置２００は、例えば、ステップＳ２０２での報知がユーザに気づかれなかった場合において、ステップＳ２０４を実行することによって、ユーザの施術忘れをさらに抑制させる。
【００８０】
＜パーソナルケアシステム＞
図６は、実施の形態１に係るパーソナルケアシステム３００の動作手順を示すシーケンス図である。
【００８１】
まず、パーソナルケア機器１００は、ユーザに対して施術を行う（ステップＳ３０１）。ステップＳ３０１では、パーソナルケア機器１００は、図４に示すステップＳ１０１〜ステップＳ１０３を実行する。
【００８２】
次に、パーソナルケア機器１００は、日時情報（施術情報）を端末装置２００に送信する（ステップＳ３０２）。ステップＳ３０２では、パーソナルケア機器１００は、図４に示すステップＳ１０４を実行する。
【００８３】
次に、端末装置２００は、図５に示すステップＳ２０１及びステップＳ２０２を実行することで、ユーザに報知する（ステップＳ３０３）。
【００８４】
次に、パーソナルケア機器１００は、ユーザに対して施術を行う（ステップＳ３０４）。ステップＳ３０４では、パーソナルケア機器１００は、図４に示すステップＳ１０１〜ステップＳ１０３を実行する。
【００８５】
次に、パーソナルケア機器１００は、日時情報を端末装置２００に送信する（ステップＳ３０５）。ステップＳ３０４では、パーソナルケア機器１００は、図４に示すステップＳ１０４を実行する。
【００８６】
次に、端末装置２００は、図５に示すステップＳ２０１及びステップＳ２０２を実行することで、ユーザに報知する（ステップＳ３０６）。
【００８７】
このように、ユーザが適切な日時にパーソナルケア機器１００を用いて施術している場合には、パーソナルケア機器１００及び端末装置２００は、ステップＳ３０１〜ステップＳ３０３の動作を繰り返す。
【００８８】
ここで、端末装置２００は、第２時間内に施術情報を受信してしないとする（ステップＳ３０７）。ステップＳ３０７は、例えば、図５に示すステップＳ２０３でＮｏの場合である。
【００８９】
この場合、端末装置２００は、図５に示すステップＳ２０４を実行することで、ユーザに対してパーソナルケア機器１００の利用を促すように報知部２２０に再度報知させる（ステップＳ３０８）。
【００９０】
［効果等］
以上説明したように、実施の形態１に係るパーソナルケアシステム３００は、ユーザへの施術を行う施術部１５０、施術部１５０が施術を行ったユーザへの当該施術に関する施術情報を取得する取得部１３０、及び、取得した施術情報を送信する第１通信部１４０を有するパーソナルケア機器１００と、パーソナルケア機器１００から施術情報を受信する第２通信部２１０、及び、施術情報に基づくユーザへの報知を行う報知部２２０を有する端末装置２００と、を備える。
【００９１】
本実施の形態では、例えば、施術情報は、施術部１５０がユーザに施術を行った日時を示す日時情報を含む。この場合、報知部２２０は、日時情報に基づくタイミングに、ユーザがパーソナルケア機器１００を用いて施術を行うことを促す報知を行う。
【００９２】
パーソナルケア機器１００には、毎日利用しない機器がある。このような機器においては、ユーザは、一度利用した後に、再度利用するべき日時を忘れてしまう問題がある。そこで、パーソナルケアシステム３００においては、ユーザの利用頻度がパーソナルケア機器１００よりも高いと考えられる端末装置２００を介して、パーソナルケア機器１００を利用するべき日時をユーザに報知する。これにより、パーソナルケアシステム３００によれば、ユーザの施術忘れを抑制できる。
【００９３】
また、例えば、端末装置２００は、スマートフォン、タブレット端末、パーソナルコンピュータ、シェーバ、及び、電子鏡のいずれかである。
【００９４】
これらの機器は、ユーザの利用頻度が高いと考えられる。そのため、このような構成によれば、さらに効果的にユーザにパーソナルケア機器１００の利用を促し得る。
【００９５】
また、例えば、施術部１５０は、発光部１６０を有し、発光部１６０が発した光をユーザに照射することで、ユーザへの施術を行う。
【００９６】
このように、抑毛装置１０のような、ユーザに光を照射することでユーザに施術するパーソナルケア機器１００においては、ユーザに施術の跡が残らない場合が多い。そのため、このような構成においては、ユーザが自身の施術部位（施術位置）を目視で確認しても、いつ頃に施術したかが分からないため、パーソナルケア機器１００の利用タイミングを忘れてしまう可能性が高い。そのため、特に、ユーザに施術の跡が残らないような、発光部１６０が発した光をユーザに照射することで、ユーザへの施術を行うパーソナルケア機器１００を用いる場合に、ユーザの利用頻度が高いと考えられる端末装置２００を介してユーザに利用を促す報知を行わせることは、特に効果的にユーザにパーソナルケア機器１００の利用を促し得る。
【００９７】
また、実施の形態１に係るパーソナルケア機器１００は、ユーザへの施術を行う施術部１５０と、施術部１５０が施術を行ったユーザへの当該施術に関する施術情報を取得する取得部１３０と、取得部１３０が取得した施術情報を端末装置２００へ送信する第１通信部１４０と、を備える。
【００９８】
このような構成によれば、端末装置２００を介して、パーソナルケア機器１００を利用するべき日時等の施術情報をユーザに報知できる。そのため、ユーザの施術忘れを抑制できる。
【００９９】
（実施の形態２）
続いて、実施の形態２に係るパーソナルケアシステムについて説明する。なお、実施の形態２に係るパーソナルケアシステムに説明については、実施の形態１に係るパーソナルケアシステム３００との差異点を中心に説明し、実施の形態１に係るパーソナルケアシステム３００と実質的に同様の構成については同様の符号を付し、説明を簡略化又は省略する場合がある。
【０１００】
［構成］
＜概要＞
図７は、実施の形態２に係るパーソナルケアシステム３０１Ａの概略構成を示す図である。なお、図７に示す抑毛装置１１は、図２に示す抑毛装置１０の断面に対応する断面を示しており、抑毛装置１１が備える電源ボタン４１、点灯部４３等の構成要素の一部を模式的に示している。
【０１０１】
図７に示すように、パーソナルケアシステム３０１Ａは、実施の形態２に係るパーソナルケア機器の一例である抑毛装置１１と、実施の形態２に係る端末装置の一例であるスマートフォン２０１Ａ及び電子鏡２０１Ｂと、を備える。
【０１０２】
実施の形態２に係る抑毛装置１１は、実施の形態１に係る抑毛装置１０とは、カメラ９１を備える点が異なる。
【０１０３】
カメラ９１は、ユーザを撮像する撮像装置である。回路４４は、カメラ９１を用いて、ユーザにおける施術が行われた部位を示す部位情報を施術情報として取得する。また、回路４４は、無線通信デバイス２０を介して部位情報をスマートフォン２０１Ａ及び電子鏡２０１Ｂに送信する。
【０１０４】
本実施の形態では、カメラ９１は、ヘッド部３１のハウジング２１の外部に接触して配置されている。なお、カメラ９１が配置される箇所は、特に限定されない。カメラ９１は、回路４４へ画像データの送信が可能なように制御線等で接続されている。
【０１０５】
スマートフォン２０１Ａ及び電子鏡２０１Ｂは、受信した部位情報に基づいて画像を表示する表示装置である。電子鏡２０１Ｂは、部位情報を抑毛装置１１から受信するための無線通信デバイス２０Ａを有する。
【０１０６】
スマートフォン２０１Ａ及び電子鏡２０１Ｂは、受信した部位情報に基づいて、ユーザと、抑毛装置１１によって施術が行われた施術部位を示す強調画像４００とを表示する。
【０１０７】
強調画像４００は、抑毛装置１１によって施術が行われた施術部位を示す画像である。強調画像４００は、例えば、施術部位を囲むような円を示す画像、施術部位を示す矢印等のマークである。強調画像４００に用いられる画像は、ユーザが画像を見た場合に、施術部位が分かるような画像であればよく、特に限定されない。
【０１０８】
図７には、強調画像４００を、ハッチングを付した楕円で示している。このように、当該楕円で示されている位置が、施術部位となり、報知部２２１（図８参照）によれば、ユーザに分かりやすく施術部位を報知できる。
【０１０９】
＜機能構成＞
続いて、パーソナルケアシステム３０１の機能構成について説明する。
【０１１０】
図８は、実施の形態２に係るパーソナルケアシステム３０１の特徴的な機能構成を示すブロック図である。
【０１１１】
パーソナルケアシステム３０１は、図７に示すパーソナルケアシステム３０１Ａのように、抑毛装置１１等のパーソナルケア機器１０１によってユーザが施術された部位を、スマートフォン２０１Ａ及び電子鏡２０１Ｂ等によって表示させることで、ユーザに施術部位を報知するシステムである。
【０１１２】
パーソナルケアシステム３０１は、パーソナルケア機器１０１と、端末装置２０１と、を備える。
【０１１３】
パーソナルケア機器１０１は、ユーザに施術する機器である。例えば、パーソナルケア機器１０１は、ユーザの身だしなみを整えるための機器である。本実施の形態では、パーソナルケア機器１０１は、抑毛装置１１である。
【０１１４】
パーソナルケア機器１０１は、操作部１２０と、取得部１３１と、第１通信部１４０と、施術部１５０と、第１制御部１９６と、第１記憶部１９０と、撮像部１７０と、を備える。
【０１１５】
取得部１３１は、施術部１５０が施術を行ったユーザへの当該施術に関する施術情報を取得する処理部である。取得部１３１は、例えば、操作部１２０から、操作部１２０が操作されて施術部１５０を駆動させることを示す情報を施術情報として取得する。本実施の形態では、取得部１３１は、施術部１５０がユーザに施術を行った施術部位を示す部位情を施術情報として取得する。
【０１１６】
例えば、部位情報には、施術部１５０が施術したユーザの位置を示す画像が含まれる。
【０１１７】
取得部１３１は、例えば、回路４４と、第１記憶部１９０に記憶された制御プログラムとにより実現される。
【０１１８】
第１制御部１９６は、パーソナルケア機器１０１が備える各構成要素の動作を制御する処理部である。第１制御部１９６は、例えば、取得部１３１が操作部１２０から取得した情報に基づいて、施術部１５０の動作の制御をする。また、例えば、第１制御部１９６は、取得部１３１が取得した施術情報を、第１通信部１４０を介して端末装置２００へ送信する。
【０１１９】
第１制御部１９６は、例えば、回路４４と第１記憶部１９０に記憶された制御プログラムとにより実現される。
【０１２０】
撮像部１７０は、ユーザを撮像することで画像を生成する撮像装置である。例えば、撮像部１７０は、ユーザの顔全体とユーザの施術部位とを撮像してそれぞれの画像を生成する。取得部１３０は、例えば、撮像部１７０からそれぞれの画像を部位情報として取得する。
【０１２１】
撮像部１７０は、例えば、第１制御部１９６により制御されて、ユーザを撮像する。例えば、パーソナルケア機器１０１は、図示しないボタンを備え、第１制御部１９６は、ユーザに当該ボタンを押下された場合に、撮像部１７０を制御することで撮像部１７０に撮像させてもよい。
【０１２２】
端末装置２０１が備える報知部２２１は、撮像部１７０が生成した画像を表示する。具体的には、第１通信部１４０は、撮像部１７０によって生成された画像を部位情報として端末装置２０１に送信する。また、報知部２２１は、撮像部１７０によって生成された画像を表示することで、ユーザがパーソナルケア機器１０１を用いて施術を行った施術部位の報知を行う。
【０１２３】
撮像部１７０は、例えば、カメラ９１により実現される。
【０１２４】
端末装置２０１は、ユーザが操作する情報端末である。端末装置２０１は、例えば、スマートフォン、タブレット端末、パーソナルコンピュータ、及び、電子鏡のいずれかである。図７には、端末装置２０１がスマートフォン２０１Ａである場合と、端末装置２０１が電子鏡２０１Ｂである場合とを例示している。パーソナルケアシステム３０１が備える端末装置２０１の数は、１つでもよいし、複数でもよい。
【０１２５】
端末装置２０１は、第２通信部２１０と、報知部２２１と、第２制御部２３１と、第２記憶部２４０と、を備える。
【０１２６】
報知部２２１は、施術情報に基づくユーザへの報知を行う。具体的には、第２制御部２３１は、パーソナルケア機器１００から受信した施術情報に基づいて、ユーザに施術に関する情報を報知部２２１に報知させる。
【０１２７】
本実施の形態では、施術情報は、施術部１５０がユーザに施術を行った施術部位を示す部位情報を含む。例えば、報知部２２１は、部位情報に基づいて、ユーザがパーソナルケア機器１０１を用いて施術を行った施術部位の報知を行う。より具体的には、本実施の形態では、報知部２２１は、施術情報である部位情報に基づく画像を表示するディスプレイであり、画像によって施術部位の報知を行う。
【０１２８】
第２制御部２３１は、端末装置２０１が備える第２通信部２１０、報知部２２１等の構成要素の動作を制御する処理部である。第２制御部２３１は、例えば、第２通信部２１０を介してパーソナルケア機器１０１から受信した施術情報に基づいて、報知部２２１を制御することで報知部２２１に報知させる。第２制御部２３１は、例えば、パーソナルケア機器１０１がユーザに施術を実行した部位を示す部位情報を受信したとする。この場合、第２制御部２３１は、報知部２２１に部位情報に基づく画像を表示させる。
【０１２９】
第２制御部２３１は、例えば、プロセッサと、第２記憶部２４０に記憶された当該プロセッサが実行する制御プログラムとから実現される。
【０１３０】
［処理手順］
続いて、パーソナルケアシステム３０１が備える各構成要素の具体的な処理手順について説明する。
【０１３１】
＜パーソナルケア機器＞
図９は、パーソナルケア機器１０１の処理手順を説明するためのフローチャートである。
【０１３２】
図９は、実施の形態２に係るパーソナルケア機器１０１の動作手順を示すフローチャートである。
【０１３３】
まず、操作部１２０は、ユーザから操作を受け付ける（ステップＳ４０１）。ステップＳ４０１では、例えば、第１制御部１９６は、電源ボタン４１で操作を受け付けた場合にパーソナルケア機器１０１の電源をＯＮにする。また、ステップＳ４０１では、例えば、第１制御部１９６は、さらに、発光ボタン４２の操作を受け付けたとする。
【０１３４】
次に、施術部１５０は、ユーザに施術する（ステップＳ４０２）。ステップＳ４０２では、具体的には、第１制御部１９６は、ステップＳ４０１で操作部１２０を介して取得部１３１が取得した施術内容を示す情報に基づいて光源５１を点灯させる等の制御を行う。
【０１３５】
また、取得部１３１は、施術情報として部位情報を取得する（ステップＳ４０３）。
【０１３６】
例えば、ステップＳ４０３では、取得部１３１は、撮像部１７０によって撮像されたユーザと、ユーザに対して施術された位置を示す施術部位とを施術情報として取得する。
【０１３７】
例えば、ユーザは、操作部１２０を操作することで、まず、ユーザの顔全体を撮像部１７０によって撮像する。次に、ユーザは、操作部を操作することで、施術部１５０で施術する位置を撮像する。取得部１３１は、ユーザの顔全体を示す画像と、施術する位置を示す画像とを含む部位情報を施術情報として取得する。
【０１３８】
なお、本実施の形態では、発光ボタン４２を押下することで撮像部１７０に撮像させる構成としている。操作部１２０は、さらに、撮像部１７０に撮像させるためのボタンを備えてもよい。
【０１３９】
次に、第１制御部１９６は、取得部１３１が取得した施術情報を、第１通信部１４０を介して端末装置２００に送信する（ステップＳ４０４）。
【０１４０】
＜端末装置＞
図１０は、実施の形態２に係る端末装置２０１の動作手順を示すフローチャートである。
【０１４１】
まず、第２通信部２１０は、パーソナルケア機器１０１から施術情報を受信する（ステップＳ５０１）。ステップＳ５０１は、例えば、図９に示すステップＳ４０４の後に実行される。
【０１４２】
次に、報知部２２１は、受信した施術情報に基づいて、施術部位を示す画像を表示する（ステップＳ５０２）。ステップＳ５０２では、例えば、第２制御部２３１は、施術情報に含まれるユーザの顔全体を示す画像と、施術する位置を示す画像とから、図７に示すような、ユーザの顔全体を示す画像に施術する位置を示す強調画像４００を重畳させた画像を生成して、報知部２２１に表示させる。
【０１４３】
次に、第２通信部２１０は、パーソナルケア機器１０１から施術情報を受信する（ステップＳ５０３）。
【０１４４】
次に、第２制御部２３１は、ステップＳ５０３で受信した施術情報に含まれる施術部位が、過去に受信した（例えば、ステップＳ５０１で受信した）施術情報に含まれる施術部位と重複するか否かを判定する（ステップＳ５０４）。
【０１４５】
第２制御部２３１は、ステップＳ５０３で受信した施術情報に含まれる施術部位が、過去に受信した（例えば、ステップＳ５０１で受信した）施術情報に含まれる施術部位と重複しないと判定した場合（ステップＳ５０４でＮｏ）、処理をステップＳ５０２に戻す。このように、第２制御部２３１は、ステップＳ５０２〜ステップＳ５０４を繰り返すことで、報知部２２１に表示させている画像に、ユーザが施術を行った部位を示すマークを重畳させ続ける。
【０１４６】
一方、第２制御部２３１は、ステップＳ５０３で受信した施術情報に含まれる施術部位が、過去に受信した（例えば、ステップＳ５０１で受信した）施術情報に含まれる施術部位と重複すると判定した場合（ステップＳ５０４でＹｅｓ）、同じ施術部位を施術しているとして、報知部２２１にユーザに対して警告等を報知させる（ステップＳ５０５）。ステップＳ５０５での報知は、表示による報知でもよいし、音による報知でもよいし、振動による報知でもよく、報知の態様は、特に限定されない。報知部２２１は、ディスプレイだけでなく、スピーカ、アンプ、圧電素子等をさらに備えていてもよい。
【０１４７】
なお、ステップＳ５０４で第２制御部２３１が実行する判定に用いる施術情報は、任意に定められてよい。例えば、ステップＳ５０４で第２制御部２３１が実行する判定に用いる過去の施術情報は、同じ日時に受信した施術情報でもよいし、過去所定の時間（例えば、１時間等）以内に受信した施術情報でもよい。
【０１４８】
＜パーソナルケアシステム＞
図１１は、実施の形態２に係るパーソナルケアシステム３０１の動作手順を示すシーケンス図である。
【０１４９】
まず、パーソナルケア機器１０１は、ユーザに対して施術を行う（ステップＳ６０１）。ステップＳ６０１では、パーソナルケア機器１０１は、図９に示すステップＳ４０１〜ステップＳ４０３を実行する。
【０１５０】
次に、パーソナルケア機器１０１は、部位情報（施術情報）を端末装置２０１に送信する（ステップＳ６０２）。ステップＳ６０２では、パーソナルケア機器１０１は、図９に示すステップＳ４０４を実行する。
【０１５１】
次に、端末装置２０１は、図１０に示すステップＳ５０１及びステップＳ５０２を実行することで、施術部位（具体的には、施術部位を示す画像）を表示する（ステップＳ６０３）。
【０１５２】
次に、パーソナルケア機器１０１は、ユーザに対して施術を行う（ステップＳ６０４）。ステップＳ６０４では、パーソナルケア機器１００は、図９に示すステップＳ４０１〜ステップＳ４０３を実行する。
【０１５３】
次に、パーソナルケア機器１０１は、施術情報を端末装置２０１に送信する（ステップＳ６０５）。ステップＳ６０５では、パーソナルケア機器１０１は、図９に示すステップＳ４０４を実行する。
【０１５４】
次に、端末装置２０１は、図１０に示すステップＳ５０１及びステップＳ５０２を実行することで、施術部位を表示する（ステップＳ６０６）。
【０１５５】
このように、ユーザが適切な施術部位にパーソナルケア機器１０１を用いて施術している場合には、パーソナルケア機器１０１及び端末装置２０１は、ステップＳ６０１〜ステップＳ６０３の動作を繰り返す。
【０１５６】
また、パーソナルケア機器１０１がユーザに対して施術を行い（ステップＳ６０７）、さらに、施術情報を端末装置２０１に送信したとする（ステップＳ６０８）。ここで、端末装置２０１は、受信した施術情報に含まれる施術部位が過去に受信した施術情報に含まれる施術部位と一致すると判定したとする（ステップＳ６０９）。ステップＳ６０９は、図１０に示すステップＳ５０４でＹｅｓの場合である。
【０１５７】
この場合、端末装置２０１は、図１０に示すステップＳ５０５を実行することで、同じ施術部位を施術しているとして、報知部２２１にユーザに対して警告等を報知させる（ステップＳ６１０）。
【０１５８】
［効果等］
以上説明したように、実施の形態２に係るパーソナルケアシステム３０１は、ユーザへの施術を行う施術部１５０、施術部１５０が施術を行ったユーザへの当該施術に関する施術情報を取得する取得部１３１、及び、取得した施術情報を送信する第１通信部１４０を有するパーソナルケア機器１０１と、パーソナルケア機器１０１から施術情報を受信する第２通信部２１０、及び、施術情報に基づくユーザへの報知を行う報知部２２１を有する端末装置２０１と、を備える。
【０１５９】
本実施の形態では、例えば、施術情報は、施術部１５０がユーザに施術を行った施術部位を示す部位情報を含む。この場合、例えば、報知部２２１は、部位情報に基づいて、ユーザがパーソナルケア機器１０１を用いて施術を行った施術部位の報知を行う。
【０１６０】
抑毛装置１１のような、ユーザに光を照射することでユーザに施術するパーソナルケア機器１０１においては、ユーザに施術の跡が残らない場合が多い。そのため、このような構成においては、ユーザが自身の施術部位を目視で確認しても、どの部位（位置）を施術したかが分からないため、パーソナルケア機器１０１でどこを施術したかを忘れてしまう可能性が高い。また、パーソナルケア機器１０１が実行する施術の内容によっては、施術しすぎるとユーザの肌に悪影響を及ぼす場合がある。そこで、パーソナルケアシステム３０１によれば、端末装置２０１を介してユーザに施術した位置を報知することで、ユーザの施術部位の忘れを抑制させることができる。
【０１６１】
また、例えば、パーソナルケア機器１０１は、さらに、ユーザを撮像することで画像を生成する撮像部１７０を有する。この場合、例えば、報知部２２１は、画像を表示するディスプレイである。また、例えば、第１通信部１４０は、撮像部１７０によって生成された画像を部位情報として端末装置２０１に送信する。また、報知部２２１は、撮像部１７０によって生成された画像を表示することで、ユーザがパーソナルケア機器１０１を用いて施術を行った施術部位の報知を行う。
【０１６２】
このような構成によれば、画像を目視することで、施術部位を確認できる。そのため、このような構成によれば、報知部２２１は、例えば、音声等による報知と比較して、さらにユーザが施術部位を分かりやすいように報知できる。
【０１６３】
また、例えば、スマートフォン、タブレット端末、パーソナルコンピュータ、及び、電子鏡のいずれかである。
【０１６４】
これらの機器は、画像を表示するためのディスプレイを備えている。そのため、このような構成によれば、報知部２２１は、施術部位を示す画像をユーザに報知できる。
【０１６５】
（変形例）
なお、本実施の形態に係るパーソナルケア機器の一例である抑毛装置の構成は、上記実施の形態１及び２で説明された抑毛装置１０及び１１の構成に限定されない。そこで、以下に、本実施の形態に係るパーソナルケア機器の一例である抑毛装置についての変形例１〜５を、上記実施の形態１及び２との差分を中心に説明する。以降の説明では、上記実施の形態１及び２と同一部分については同一の符号を付してその説明を省略する場合がある。
【０１６６】
なお、図１２〜１６に示す断面図は、図２に示す抑毛装置１０の断面に対応する断面を模式的に示しており、一部の構成要素を省略している。
【０１６７】
［変形例１］
図１２は、変形例１に係る抑毛装置１２の概略構成を示す部分断面図である。
【０１６８】
変形例１に係る抑毛装置１２は、抑毛装置１１とは、冷却部８０の配置が異なる。より具体的には、抑毛装置１２においては、ヘッド部３２のハウジング２１に設けられた照射口１１０と冷却部８０の外表面とが略面一となっている。
【０１６９】
これにより、ユーザの肌に対して照射口１１０を対向させた場合には、冷却部８０の外表面と、ハウジング２１における照射口１１０の周縁部とをユーザの肌に密着させることができる。冷却部８０の外表面がユーザの肌に密着していれば、ユーザの肌を確実に冷却できる。ハウジング２１における照射口１１０の周縁部が肌に密着していれば、漏れ光を抑制することができる。
【０１７０】
［変形例２］
図１３は、変形例２に係る抑毛装置１３の概略構成を示す部分断面図である。
【０１７１】
変形例２に係る抑毛装置１３は、抑毛装置１１と、冷却部８０の構成が異なる。より具体的には、抑毛装置１３においては、冷却部８０Ａは、ヘッド部３３のハウジング２１に設けられた照射口１１０に冷却板８２を備える。
【０１７２】
冷却板８２は、保冷部８１と金属製の支持体８３等を介して熱的に接続されている板体である。冷却板８２は、透光性を有し、光源５１から発せられる光を透過する。冷却板８２は、光源５１の光出射側に配置されている。具体的には、冷却板８２は、反射部５２ととともに光源５１を覆う。冷却板８２は、光源５１からの光がユーザの肌に照射される場合に、施術部位に接触することになる。
【０１７３】
これにより、抑毛装置１３は、光による施術をしながら、且つ、施術部位に位置する肌を冷却させることができる。
【０１７４】
また、本実施の形態では、カメラ９１は、ハウジング２１の内部に収容されている。このように、カメラ９１は、ユーザを撮像できればよく、どこに配置されてもよい。
【０１７５】
［変形例３］
図１４は、変形例３に係る抑毛装置１４の概略構成を示す部分断面図である。
【０１７６】
変形例３に係る抑毛装置１４は、抑毛装置１１と異なり、冷却部８０の構成を備えない。このような構成によれば、抑毛装置１４は、ヘッド部３４の構成が簡便になるため、小型化され得る。
【０１７７】
［変形例４］
図１５は、変形例４に係る抑毛装置１５の概略構成を示す部分断面図である。具体的には、図１５の（ａ）は、抑毛装置１５の概略構成を示す部分断面図であり、図１５の（ｂ）は、抑毛装置１５をユーザの肌Ｓに用いた場合を例示する図である。
【０１７８】
変形例４に係る抑毛装置１５は、抑毛装置１１の構成に加えて、施術部位にマーカを付与するマーカ部（突起部）９０を有する。本実施の形態では、マーカ部９０は、光源５１からの光をユーザに照射する際にユーザの肌Ｓが当接される当接部９３に設けられている突起部である。
【０１７９】
突起部９０は、ヘッド部３５のハウジング２１に設けられた、照射部５０から光が出射される向きに、当接部９３から突出した凸状部である。突起部９０は、照射部５０（より具体的には、照射口１１０）の周囲に設けられ、光源５１から発せられた光が照射される際にユーザの肌Ｓに当接される。突起部９０によって、ユーザの肌Ｓには、図１５の（ｂ）に示すように、施術部位に肌Ｓが少し凹む、赤くなる等してマーカ４０１が付与されることになる。
【０１８０】
このように、例えば、本発明に係るパーソナルケア機器は、さらに、施術部位にマーカ４０１を付与するマーカ部９０を有する。
【０１８１】
これにより、ユーザは、施術部位を簡便に把握できる。
【０１８２】
また、例えば、カメラ９１（つまり、撮像部）は、マーカ４０１を含むユーザを撮像することで画像を生成する。
【０１８３】
これによれば、例えば、図８に示す端末装置２０１は、パーソナルケア機器１０１から受信した画像から、画像処理によって簡便に施術部位を判断して、施術部位を示す強調画像（例えば、図７に示す強調画像４００）を重畳させた画像を表示できる。
【０１８４】
また、例えば、マーカ部９０は、照射部５０（つまり、施術部）の周囲に設けられ、施術部１５０が施術を行う際にユーザ１０に当接される突起部である。
【０１８５】
これによれば、パーソナルケア機器は、例えば、抑毛装置１５等のようにパーソナルケア機器がユーザの肌に用いられる機器である場合に、簡便な構成で、施術しつつ施術部位にマークを付与することができる。
【０１８６】
なお、ハウジング２１に設けられる突起部９０の数は、特に限定されない。突起部９０の数は、１つでもよいし、複数でもよい。
【０１８７】
［変形例５］
図１６は、変形例５に係る抑毛装置１６の概略構成を示す部分断面図である。具体的には、図１６の（ａ）は、抑毛装置１６の概略構成を示す部分断面図であり、図１６の（ｂ）は、抑毛装置１６をユーザの肌Ｓに用いた場合を例示する図である。
【０１８８】
変形例５に係る抑毛装置１６は、抑毛装置１１の構成に加えて、さらに、温度検出部７０を備える。
【０１８９】
温度検出部７０は、肌Ｓの温度を検出する。具体的には、温度検出部７０は、１以上の接触式の温度センサを含んでいる。接触式の温度センサとしては、例えば、接触式サーミスタ、熱電対、測温抵抗体等が挙げられる。温度センサは、照射口１１０又は当接部９３の周囲に配置されている。
【０１９０】
ここで、光照射の前後においては、肌Ｓにおける受光領域の温度を検出することが望まれる。受光領域とは、肌Ｓにおける当接部９３に対向した領域であり、施術が施される領域である。つまり、当接部９３に温度検出部７０を配置していれば、受光領域の温度を確実に検出することができるが、その場合においては、温度検出部７０が光を遮ってしまう。そこで、本実施の形態のように、温度検出部７０が照射口１１０の周囲に配置されていれば、温度検出部７０は、光を遮ることなく受光領域近傍の温度を検出することが可能である。
【０１９１】
光源５１が出射する光は、例えば、近赤外光であり、当該光が照射された施術部位４０２の肌Ｓは、その周囲の肌Ｓと比較して温度が高くなる。そのため、温度検出部７０によれば、施術部位を簡便に判別できる。
【０１９２】
なお、パーソナルケア機器が温度検出部７０を備える場合、変形例４で説明したマーカ部は、例えば、赤外光を照射する光源（発光部）でもよい。
【０１９３】
これによれば、マーカ部によって赤外光が照射された箇所は、温度が上昇する。そのため、温度検出部７０によれば、施術部位が把握され得る。このような構成は、例えば、バリカン等の、パーソナルケア機器が有する施術部が赤外光を照射する構成でない場合に、施術部位を簡便に判別できる。
【０１９４】
また、本実施の形態では、温度検出部７０は、ヘッド部３６のハウジング２１の外部に配置されている。しかしながら、温度検出部７０は、ユーザの温度を検出することができる位置に配置されていればよく、ハウジング２１の内部に収容されていてもよい。
【０１９５】
（その他の実施の形態）
以上、本発明に係るパーソナルケアシステム等について、上記実施の形態及び変形例に基づいて説明したが、本発明は、上記実施の形態及び変形例に限定されるものではない。
【０１９６】
例えば、施術情報には、日時情報と部位情報とが含まれていてもよい。例えば、パーソナルケア機器が備える取得部は、施術部が施術を行ったユーザへの当該施術に関する施術情報として、施術部がユーザに施術を行った日時を示す日時情報と、施術部がユーザに施術を行った施術部位を示す部位情報とを取得してもよい。また、例えば、端末装置が備える報知部は、日時情報に基づくタイミングに、ユーザがパーソナルケア機器を用いて施術を行うことを促す報知を行い、且つ、部位情報に基づいて、ユーザがパーソナルケア機器を用いて施術を行った施術部位の報知を行ってもよい。
【０１９７】
また、例えば、上記実施の形態では、照射部５０が一つの光源５１を有している場合を例示した。しかしながら、光源５１の設置個数は、２つ以上であってもよい。
【０１９８】
また、上記実施の形態では、抑毛専用のパーソナルケア機器を例示した。しかしながら、抑毛機能以外の機能も有する多機能なパーソナルケア機器であってもよい。その他の機能としては、抑毛時よりも弱い光を肌に照射することで肌をケアする肌ケア機能等が挙げられる。また、抑毛機能のないパーソナルケア機器であってもよい。
【０１９９】
また、上記実施の形態では、パーソナルケア機器は、光をユーザに照射することで、ユーザに施術を行う。パーソナルケア機器は、例えば、超音波をユーザに照射することで、ユーザに施術を行ってもよい。この場合、施術部は、例えば、超音波振動子等で構成される超音波発生器である。或いは、パーソナルケア機器は、例えば、振動をユーザに照射することで、ユーザに施術を行ってもよい。この場合、施術部は、例えば、圧電素子等で構成される振動発生器である。その他、バリカン等、パーソナルケア機器は、ユーザに施術を行う事ができればよく、特に限定されない。
【０２００】
また、例えば、上記実施の形態では、パーソナルケア機器は、端末装置に施術情報を送信する。例えば、パーソナルケアシステムは、さらに、サーバ装置を備え、パーソナルケア機器は、当該サーバ装置に施術情報を送信してもよい。また、サーバ装置は、予め定められたタイミングで施術情報を端末装置に送信してもよい。
【０２０１】
また、例えば、端末装置は、日付とユーザの予定とを紐づけて記憶するいわゆるカレンダー機能を有するスマートフォンである場合、当該カレンダー機能を利用して施術情報（日時情報）と当該施術情報をユーザに報知する日時とを紐づけて記憶してもよい。
【０２０２】
また、例えば、上記実施の形態では、パーソナルケアシステムが備える制御部等の処理部の各構成要素は、ＣＰＵと制御プログラムとによって実現されると説明した。例えば、当該処理部の構成要素は、１つ又は複数の電子回路で構成されてもよい。１つ又は複数の電子回路は、それぞれ、汎用的な回路でもよいし、専用の回路でもよい。１つ又は複数の電子回路には、例えば、半導体装置、ＩＣ（Ｉｎｔｅｇｒａｔｅｄ  Ｃｉｒｃｕｉｔ）、又は、ＬＳＩ（Ｌａｒｇｅ  Ｓｃａｌｅ  Ｉｎｔｅｇｒａｔｉｏｎ）等が含まれてもよい。ＩＣ又はＬＳＩは、１つのチップに集積されてもよく、複数のチップに集積されてもよい。ここでは、ＩＣ又はＬＳＩと呼んでいるが、集積の度合いによって呼び方が変わり、システムＬＳＩ、ＶＬＳＩ（Ｖｅｒｙ  Ｌａｒｇｅ  Ｓｃａｌｅ  Ｉｎｔｅｇｒａｔｉｏｎ）、又は、ＵＬＳＩ（Ｕｌｔｒａ  Ｌａｒｇｅ  Ｓｃａｌｅ  Ｉｎｔｅｇｒａｔｉｏｎ）と呼ばれるかもしれない。また、ＬＳＩの製造後にプログラムされるＦＰＧＡ（Ｆｉｅｌｄ  Ｐｒｏｇｒａｍｍａｂｌｅ  Ｇａｔｅ  Ａｒｒａｙ）も同じ目的で使うことができる。
【０２０３】
また、本発明の全般的又は具体的な態様は、システム、装置、方法、集積回路又はコンピュータプログラムで実現されてもよい。或いは、当該コンピュータプログラムが記憶された光学ディスク、ＨＤＤ（Ｈａｒｄ  Ｄｉｓｋ  Ｄｒｉｖｅ）若しくは半導体メモリ等のコンピュータ読み取り可能な非一時的記録媒体で実現されてもよい。また、システム、装置、方法、集積回路、コンピュータプログラム及び記録媒体の任意な組み合わせで実現されてもよい。
【０２０４】
その他、実施の形態及び変形例に対して当業者が思いつく各種変形を施して得られる形態や、本発明の趣旨を逸脱しない範囲で実施の形態及び変形例における構成要素及び機能を任意に組み合わせることで実現される形態も本発明に含まれる。
【産業上の利用可能性】
【０２０５】
本発明は、例えば、光学式の抑毛装置等のユーザに施術するパーソナルケア機器を備えるパーソナルケアシステムに適用可能である。
【符号の説明】
【０２０６】
１０、１１、１２、１３、１４、１５、１６  抑毛装置
２０、２０Ａ  無線通信デバイス
２１  ハウジング
３０、３１、３２、３３、３４、３５、３６  ヘッド部
４０  把持部
４１  電源ボタン
４２  発光ボタン
４３  点灯部
４４  回路
４５  ファン
５０  照射部
５１  光源
５２  反射部
５３  フィルタ
７０  温度検出部
８０、８０Ａ  冷却部
８１  保冷部
８２  冷却板
８３  支持体
９０  マーカ部（突起部）
９１  カメラ
９３  当接部
１００、１０１  パーソナルケア機器
１１０  照射口
１２０  操作部
１３０、１３１  取得部
１４０  第１通信部
１５０  施術部
１６０  発光部
１７０  撮像部
１９０  第１記憶部
１９５、１９６  第１制御部
２００、２０１  端末装置
２００Ａ、２０１Ａ  スマートフォン
２００Ｂ  シェーバ
２０１Ｂ  電子鏡
２１０  第２通信部
２２０、２２１  報知部
２３０、２３１  第２制御部
２４０  第２記憶部
３００、３００Ａ、３０１、３０１Ａ  パーソナルケアシステム
４００  強調画像
４０１  マーカ
４０２  施術部位
Ｓ  肌
【図１】
2020162789.tif 000003
【図２】
2020162789.tif 000004
【図３】
2020162789.tif 000005
【図４】
2020162789.tif 000006
【図５】
2020162789.tif 000007
【図６】
2020162789.tif 000008
【図７】
2020162789.tif 000009
【図８】
2020162789.tif 000010
【図９】
2020162789.tif 000011
【図１０】
2020162789.tif 000012
【図１１】
2020162789.tif 000013
【図１２】
2020162789.tif 000014
【図１３】
2020162789.tif 000015
【図１４】
2020162789.tif 000016
【図１５】
2020162789.tif 000017
【図１６】
2020162789.tif 000018